(57)【特許請求の範囲】
【請求項１】
便器と汚染処理槽とを備え、
汚水処理槽は散気による破砕処理槽と嫌気性処理槽と曝気処理槽とを有し、
使用開始時に、嫌気性処理槽は空又は空に近い状態にあり、曝気処理槽は便器の水洗水に使用するための水を所定量貯水してあり、
便器使用後の水洗水に前記曝気処理槽に貯水してある水をポンプアップして使用することで便器から発生する汚水及び水洗水を破砕処理槽に受水し、エアー散気による汚物の破砕処理を行い、前記破砕処理された汚水を嫌気性処理槽に向流し、
前記曝気処理槽に貯水してあった水洗水が少なくなった後に嫌気性処理槽にて処理された汚水処理水が曝気処理槽に流入するものであり、
前記破砕処理槽は槽の底部からエアーを散気することで汚物を破砕するものであり、
前記曝気処理槽は当該処理槽の底部から槽深さの１／５〜２／３の高さに散気手段を設置した沈殿処理曝気槽であることを特徴とする水洗式の簡易トイレシステムの使用方法。
【発明の詳細な説明】
【技術分野】
【０００１】
本発明は水洗式の便器を用いることができる簡易トイレシステムに関する。
【背景技術】
【０００２】
ゴルフ場，各種イベント会場，公園，土木・建設工事現場等においては、近くに下水処理場がなく、簡易トイレの設置が必要となる。
このような簡易トイレであっても使用者からは水洗式のトイレに対するニーズが高い。
例えば、特許文献１に開示するように、いわゆる浄化槽と称される汚水処理槽は広く知られているが、浄化水を外に放流しない水洗式トイレは知られていない。
【先行技術文献】
【特許文献】
【０００３】
【特許文献１】実開平３−６１９９８号公報
【発明の概要】
【発明が解決しようとする課題】
【０００４】
本発明は、コンパクトで水洗式の簡易トイレシステムの提供を目的とする。
【課題を解決するための手段】
【０００５】
本発明に係る水洗式の簡易トイレシステムは、便器と汚染処理槽とを備え、汚水処理槽は散気による破砕処理槽と嫌気性処理槽と曝気処理槽とを有し、使用開始時に、嫌気性処理槽は空又は空に近い状態にあり、曝気処理槽は便器の水洗水に使用するための水を所定量貯水してあり、便器使用後の水洗水に前記曝気処理槽に貯水してある水をポンプアップして使用することで便器から発生する汚水及び水洗水を破砕処理槽に受水し、エアー散気による汚物の破砕処理を行うステップと、前記破砕処理された汚水を嫌気性処理槽に受水するステップとを有し、前記曝気処理槽に貯水してあった水洗水が少なくなった後に嫌気性処理槽にて処理された汚水処理水が曝気処理槽に流入するステップとを有することを特徴とする。
【０００６】
ここで、破砕処理槽は槽の底部からエアーを散気することで汚物を破砕するものであるのが好ましい。
また、曝気処理槽は当該処理槽の底部から槽深さの１／５〜２／３の高さに散気手段を設置した沈殿処理曝気槽であるのが好ましい。
このようなトイレシステムを使用する際に、請求項１〜３のいずれかのシステムを用いたトイレであって、トイレは外から開放自在のドアと、トイレ室内側にドアのロック装置と、コイン投入口を備え、外からドアを開けトイレ室内に入室し、コインを前記コイン投入口に投入するとロック装置がドアを施錠するものであるようにすることもできる。
この場合にコインを持ち合せていない等のケースを考慮すると、ドアを施錠しないで使用した場合にトイレ室内に人がいるのが外から分かるように閉じたドアの下から足元が見えるようにしてもよい。
【０００７】
これまでに提案されている汚水処理装置は、まず汚水を嫌気性処理槽に受水し、嫌気性下で微生物処理した後に好気性処理するものが一般的である。
しかし、汚水原水を直接的に嫌気性処理すると、メタンガス，硫化ガス等の異臭性の非常に強いガスが多量に発生する問題もあった。
これに対して本発明は、便器から発生した汚水原水に含まれる汚物やトイレットペーパーなどをエアーの散気により破砕した。
このようにエアー散気（曝気）により汚物等を細かく破砕すると、その後の微生物処理が容易になるとともに、尿中アンモニアの硝化作用を促進し、異臭の発生が低減される。
【０００８】
本発明に係る水洗式簡易トイレシステムの特徴は、本システムの開始に当たり、曝気処理槽に便器の使用後の水洗に用いるための綺麗な水を貯水しておき、嫌気性処理槽を空か空に近い状態にした点にある。
ここで曝気処理槽に予め貯水した水は綺麗なので曝気する必要はないが、酸素を水洗水に充分に溶存しておく観点から曝気してもよい。
曝気処理槽に予め貯水してあった水は、トイレ使用回数が増すにつれて減水し、この水洗水と汚物との混合汚水が破砕処理槽を経由して嫌気性処理槽に送り込まれる。
本システムでは初めにエアー散気で破砕処理するので、嫌気性処理槽は嫌気性微生物の充分な働きを確保すべく２段処理方式にするのが好ましい。
【０００９】
予め貯水してあった曝気処理槽の水が少なくなり所定量以下になると、その前に設けた嫌気性処理槽が所定量以上、例えば、嫌気性処理槽を２段に設けた場合に少なくとも第１段の嫌気性処理槽が満水に近い状態になり、その後に曝気処理槽に移送されてくることになるのがよい。
嫌気性処理槽にて分解されなかった有機物は、曝気処理槽で好気性微生物により有機物が分解する。
この曝気処理槽にて固形分が下に沈殿処理された上部の浄水が便器の貯水部にポンプアップされる。
【００１０】
さらにトイレの使用回数が増し、曝気処理槽が満水になった時点で一旦本システムの使用を終了とし、バキュームカー等を用いて上記初めの状態に戻す。
従って、本発明に係るシステムにおいてトイレの使用可能な回数を増やすには、水の減量手段を設けてもよい。
例えば曝気処理槽の水面に向けて風を吹き付けることで蒸発を促す方法、加温して蒸発を促す方法、斜面等に流水し蒸発を促す方法等がある。
また、曝気と超音波を組み合せることで蒸発を促す方法も考えられる。
【発明の効果】
【００１１】
本発明に係る水洗式簡易トレシステムは、外部に放流することなく水洗トイレとして使用できる。
【図面の簡単な説明】
【００１２】
【図１】本発明に係る水洗式トイレシステムの構成例を示す。
【図２】トイレの例を示す。
【発明を実施するための形態】
【００１３】
本発明に係る水洗式簡易トイレシステムは、コンパクトでありながらトイレの使用できる回数が多い点に特徴がある。
一般的な使用方法にて少なくとも３，０００回は使用できる例について、以下具体的に説明するが、本発明はこれに限定されるものではない。
【００１４】
本発明者の事前調査によれば、平均的な人で１回の尿は約１５０ｍｌ／１回であり、水洗水は３５０ｍｌ／１回（温水洗浄による排水量）であった。
従って、（１５０ｍｌ＋３５０ｍｌ）×３，０００回の使用では、約１．５ｍ３発生することになる。
このようなことを考慮して、図１に示すような構造例を設定した。
本発明に係るトイレシステム１０は、水洗式の便器１と処理槽を有する。
なお、便器１は局部温水洗浄機付きであってもよい。
処理槽は便器１から発生した汚水原水を受水する破砕処理槽１１と、その後に第１嫌気性処理槽１２及び第２嫌気性処理槽１３を有し、この第２嫌気性処理槽１３の後には曝気処理槽１４を有する。
破砕処理槽は通性微生物処理が行われ、第１嫌気性処理槽も溶存酸素が未だ多く、通性微生物による処理となる。
第２嫌気性処理槽は溶存酸素が少なくなり、嫌気性微生物による処理がよい。
破砕処理槽１１は底部に散気管１１ａを設け、エアー曝気するようになっている。
これにより、汚物が細かく破砕されるとともに尿中のアンモニア成分の硝化が促進される。
曝気処理槽１４は槽の深さに対して、底部から１／５〜２／３の高さに散気管等を取り付けてあり、曝気処理する。
本実施例では曝気処理槽を３の向流室に仕切り、散気管１５、１５ａと二ヶ所に設けた。
この曝気処理槽は好気性の微生物にて残った有機物が分解される。
【００１５】
本実施例では、破砕処理槽の容量を０．２ｍ３，第１嫌気性処理槽の容量を０．６ｍ３，第２嫌気性処理槽及び曝気処理槽の容量をそれぞれ１．０ｍ３に設計した。
破砕処理槽１１にはバッフル１１ｂを設けてある。
第１嫌気性処理槽１２と第２嫌気性処理槽１３との間の隔壁１２ａには汚物の遮蔽板１２ｂを介して、水の移送口１２ｃを槽の上部付近に設けてある。
また、第２嫌気性処理槽１３と曝気処理槽１４との間の隔壁１３ａは下部付近に移送口１３ｃを設けた例になっている。
なお、後述する水洗水の量によっては、移送口１３ｃの高さを本実施例により高く設定してもよい。
また、このような容量にすると全体の大きさが１．４ｍ×１．４ｍ、高さが１．４ｍ〜２．０ｍの小さな処理槽にて可能になり隔壁の設け方は必ずしも方形に仕切る必要はなく平面視でＬ字、コ字、うず巻き形状等でもよい。
また、処理槽を円形状に形成、内側に円又は円弧状の仕切りを入れてもよい。
【００１６】
図１（ａ）は、本システムの開始状態を示す。
破砕処理槽１１の水位Ｗ６は、散気管１１ａより上にあり、空隙を約０．１ｍ３確保する。
第２嫌気性処理槽１３と曝気処理槽１４は、空隙をそれぞれ約０．４ｍ３確保した水位にしてある。
便器１に附帯して設けた貯水タンク１ａに、配管２ａを経由して加圧ポンプ２により曝気処理槽１４から送水される。
貯水タンク１ａの水位が所定より下がると自動的にポンプアップされる。
トイレの使用回数が増すに従って図１（ｂ）に示すように予め貯水してあった水面Ｗ１がＷ２に下がり、使用された水洗水と汚物の混合汚水は、破砕処理槽１１にて破砕処理された後に初めは空又は空に近い状態にしてあった、第１嫌気性処理槽１２に向流する。
第１嫌気性処理槽１２では微生物により有機物の減容が進行し、水位が移送口１２ｃより高くなると、図１（ｃ）に示すように第２嫌気性処理槽１３に向流し、ここで有機物の分解がさらに進む。
固形物は遮蔽壁１３ｂにより流れないようにした移送口１３ｃから曝気処理槽１４に送り込まれた処理水の水位Ｗ３が散気管１５より高くなると曝気を開始し、曝気沈殿処理をする。
トイレの使用回数の増大に伴い、曝気処理槽の水位Ｗ４も次第に増すことになるが、満水になるまでは浄水化され便器の水洗水に使用される。
曝気処理槽１４は第２嫌気性処理槽１３側が高く、図１では右側に向けて順次、高さが低くなる向流壁１４ａ、１４ｂを設けることで第１向流室ａ、第２向流室ｂ及び第３向流室ｃに分かれるように、仕切壁１４ｃ、１４ｄを設けた例になっている。
第１向流室ａには、オゾン発生装置１６を設けた例になっている。
また、第２向流室は底部から約１／３の高さに散気管１５を設け、第３向流室に底部から１／５の高さに散気管１５ａを設けてある。
オゾン発生装置１６を設けると、処理水に発生した変色も分解消滅できてよい。
仕切壁１４ｃ、１４ｄでオゾンによる微生物への悪影響を防止しつつ、散気管１５、１５ａによりエアー曝気される。
これにより、わずかに残っていた有機物が好気性微生物により分解される沈殿曝気処理が進行する。
【００１７】
図２にトイレ室の例を示す。
処理槽は地上置き型でも埋設型でもよい。
トイレ室２０のドア２１はノブ２２を回すことで自由に開くことができる。
ドアの室内側にはドア施錠のためのコイン投入口を有するロック装置２４を有する。
また、ドア２１の下部はトイレ室に入った人の足元だけが外部から見えるように小さな開口部２３もしくは半透明部を設けてもよい。
トイレを使用する人はドアを閉め、コインを投入し、ドアを施錠する。
このようにすると、トイレの使用者に経費の一部又は全部を負担してもうらうこともできる。
【符号の説明】
【００１８】
１          便器
２          ポンプ
１０        トイレシステム
１１        破砕処理槽
１１ａ      散気管
１２        第１嫌気性処理槽
１３        第２嫌気性処理槽
１４        曝気処理槽
【図１】
0005912650.tif 000002
【図２】
0005912650.tif 000003